(57)【要約】【課題】新たな手法で通水経路の切り替えを実現できる技術を提供する。【解決手段】上流側水路から送られる原水を改質して下流側水路に供給する改質水供給路３０と、ユーザによる操作を通じて外力を付与される外力受け部１６６と、外力受け部１６６が外力を受けたときに自らが動くことによって、上流側水路から供給される原水を下流側水路に供給する原水供給路２８と改質水供給路３０のなかから通水経路を切り替え可能な弁体部１０６と、を備える。【選択図】図１２
2020033840.tif 000002
【特許請求の範囲】
【請求項１】
原水改質装置に組み込まれる原水を改質するためのカートリッジであって、
上流側水路から送られる原水を改質して下流側水路に供給する改質水供給路と、
ユーザによる操作を通じて外力を付与される外力受け部と、
前記外力受け部が外力を受けたときに自らが動くことによって、前記上流側水路から供給される原水を前記下流側水路に供給する原水供給路と前記改質水供給路とのなかから通水経路を切り替え可能な弁体部と、を備えるカートリッジ。
【請求項２】
前記原水供給路には弁孔が形成される弁座が設けられ、
前記弁体部は、前記弁座に接触して前記弁孔を閉じる閉位置と、前記閉位置より前記弁座から離間して前記弁孔を開く開位置との間を進退可能であり、
前記弁体部は、前記弁体部の進退方向において、前記弁座に対して重なる位置に設けられるシール面を備える請求項１に記載のカートリッジ。
【請求項３】
前記シール面が設けられる鍔部と、
前記鍔部に対して前記弁座とは反対側にて前記鍔部と対向する鍔対向部と、
前記鍔部と前記鍔対向部との間に設けられる補強部と、を備える請求項２に記載のカートリッジ。
【請求項４】
前記弁体部は、前記原水供給路に形成される弁孔を閉じる閉位置と、前記弁孔を開く開位置との間を進退可能であり、
本カートリッジは、前記開位置から前記閉位置に前記弁体部が移動するとき、前記弁孔の中心軸線を中心とする円の径方向での前記弁体部の動きを案内するためのガイド部を備える請求項１から３のいずれかに記載のカートリッジ。
【請求項５】
前記弁体部は、前記原水供給路に形成される弁孔を閉じる閉位置と前記弁孔を開く開位置との間を進退可能であり、
前記改質水供給路には、前記上流側水路から送られる原水を改質可能な改質部が設けられ、
前記弁体部は、前記弁体部の進退方向において、前記外力受け部と前記改質部の間に配置される請求項１から４のいずれかに記載のカートリッジ。
【請求項６】
前記上流側水路及び前記下流側水路のうちの一方の水路と前記改質水供給路を隔てる有底筒状のヘッド部を備え、
前記ヘッド部の頂壁部は前記外力受け部を構成し、
前記ヘッド部には、前記一方の水路と前記改質水供給路を連通させる通水孔が形成され、
前記通水孔は、前記ヘッド部の外周壁部を貫通する第１孔部を有する請求項１から５のいずれかに記載のカートリッジ。
【請求項７】
前記一方の水路は、前記下流側水路であり、
前記ヘッド部の内底面には、前記改質水供給路内を流れる水を前記第１孔部に誘導可能な誘導部が設けられる請求項６に記載のカートリッジ。
【請求項８】
前記弁体部は、前記原水供給路に形成される弁孔を閉じる閉位置と前記弁孔を開く開位置との間を進退可能であり、
前記外力受け部の外力受け面は、前記弁体部の進退方向と実質的に直交するように設けられる平坦面である請求項１から７のいずれかに記載のカートリッジ。
【発明の詳細な説明】
【技術分野】
【０００１】
本発明は、原水を改質するためのカートリッジに関する。
【背景技術】
【０００２】
シャワーヘッドに供給される原水の浄化を目的として、シャワーヘッドに給水するための給水路に浄水装置を組み込む場合がある。たとえば、特許文献１には、浴室の壁部に固定された金属製管体の内部にカートリッジを内蔵し、そのカートリッジにより原水を浄化できる浄水装置が記載されている。この浄水装置では、カートリッジとは別体に設けられる水路切替機構によって、原水供給路と浄水供給路のいずれかに通水経路を切り替え可能である。
【先行技術文献】
【特許文献】
【０００３】
【特許文献１】特開２００２−１１４６３号公報
【発明の概要】
【発明が解決しようとする課題】
【０００４】
本発明者は、原水を改質する原水改質装置において、新たな手法によって、原水供給路と改質水供給路のなかから通水経路の切り替えを実現できることを見出した。
【０００５】
本発明のある態様は、このような課題に鑑みてなされ、その目的の１つは、新たな手法で通水経路の切り替えを実現できる技術を提供する。
【課題を解決するための手段】
【０００６】
前述の課題を解決するための本発明の第１態様は、原水改質装置に組み込まれる原水を改質するためのカートリッジであって、上流側水路から送られる原水を改質して下流側水路に供給する改質水供給路と、ユーザによる操作を通じて外力を付与される外力受け部と、前記外力受け部が外力を受けたときに自らが動くことによって、前記上流側水路から供給される原水を前記下流側水路に供給する原水供給路と前記改質水供給路とのなかから通水経路を切り替え可能な弁体部と、を備える。
【０００７】
第１態様によれば、その外力受け部が外力を受けて弁体部が動くことによって、原水改質装置内での通水経路を切り替え可能となる。よって、新たな手法で通水経路の切り替えを実現できる。
【図面の簡単な説明】
【０００８】
【図１】浴室ユニットを示す斜視図である。
【図２】浴室ユニットに用いられる水路を示す構成図である。
【図３】浴室用機能部品を示す右側面図である。
【図４】原水改質装置の右側面図である。
【図５】原水改質装置の左側面図である。
【図６】原水改質装置の正面図である。
【図７】原水改質装置の分解図である。
【図８】原水改質装置の右側面断面図である。
【図９】原水改質装置の他の分解図である。
【図１０】第１配管部材及び第２配管部材の周辺構造の分解図である。
【図１１】第１配管部材及び第２配管部材の周辺構造の他の分解図である。
【図１２】図８の拡大図である。
【図１３】第１内部水路を模式的に示す斜視図である。
【図１４】図１０のＡ−Ａ断面図である。
【図１５】原水改質装置の他の動作状態を示す図である。
【図１６】図１０に示す構成部品の組立図である。
【図１７】図１６のＢ−Ｂ断面を模式的に示す図である。
【図１８】図１７の矢視Ｃから第１配管部材を見た図である。
【図１９】カートリッジの側面図である。
【図２０】図１２の拡大図である。
【図２１】図１９のＣ−Ｃ端面図である。
【図２２】第２実施形態の原水改質装置の正面図である。
【発明を実施するための形態】
【０００９】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」や「接続」とは、特に明示がない限り、言及している条件を二者が直接的に満たす場合の他に、他の部材を介して満たす場合も含む。
【００１０】
（第１の実施の形態）
図１は、第１実施形態の原水改質装置５０が用いられる浴室ユニット１０を示す斜視図である。浴室ユニット１０は、浴槽１２と、浴槽１２に隣り合う洗い場床１４と、浴室空間を内部に画定する複数の浴室壁部１６と、を備える。
【００１１】
図２は、浴室ユニット１０に用いられる水路を示す構成図である。浴室ユニット１０は、水栓装置１８から吐水装置２０に至る給水路２２を備える。給水路２２は、原水改質装置５０の装置本体５２（後述する）に設けられる第１内部水路２４を有する。第１内部水路２４は、一次側配管２６から送られる原水を原水供給路２８及び改質水供給路３０の何れかを経由させて二次側配管３２に導ける。第１内部水路２４は、上流側水路３４、原水供給路２８、改質水供給路３０及び下流側水路３６を備える。
【００１２】
上流側水路３４は、一次側配管２６から送られる原水を原水供給路２８及び改質水供給路３０のそれぞれに導ける。原水供給路２８は、改質水供給路３０を迂回しており、上流側水路３４から送られる原水を下流側水路３６に供給する。改質水供給路３０は、原水改質装置５０に組み込まれるカートリッジ５４に設けられる。改質水供給路３０は、上流側水路３４から送られる原水を改質して改質水を生成し、その改質水を下流側水路３６に供給する。本明細書での「改質」とは、物理変化や化学変化を経て、特定の成分を原水から除去又は原水に付与することをいう。下流側水路３６は、原水供給路２８及び改質水供給路３０から送られる水を二次側配管３２に導ける。第１内部水路２４の通水経路は弁機構１００により切り替えられる。
【００１３】
図１に戻る。水栓装置１８は、入浴者による操作を通じて、給水路２２に供給される水の流量や温度を調整可能である。吐水装置２０は、給水路２２から供給される水を吐き出し可能である。本実施形態の吐水装置２０は、浴室壁部１６に対して可動なシャワーヘッドであるが、カラン等でもよい。本実施形態の一次側配管２６や二次側配管３２は可撓性があるホースである。本実施形態において、一次側配管２６は水栓装置１８と原水改質装置５０を接続し、二次側配管３２は原水改質装置５０と吐水装置２０を接続する。
【００１４】
原水改質装置５０は、浴室用機能部品３８と組み合わせられる。機能部品３８は、浴室に関連する機能を発揮可能である。この「機能」とは、本実施形態では浴室用物品４０や入浴者の荷重を受けることである。本実施形態での浴室用物品４０とはシャワーフックである。本実施形態の機能部品３８は、シャワーフックや入浴者の荷重を受けるとともにシャワーフックをスライド可能に支持するスライドバーである。シャワーフックには、吐水装置２０を着け外し可能である。
【００１５】
図３は、浴室用機能部品３８を示す右側面図である。本実施形態の機能部品３８は、バー部材４２と、バー部材４２を支持するとともに浴室壁部１６に固定される複数のブラケット４４と、を備える。バー部材４２は、浴室用物品４０又は入浴者の荷重を受けるための荷重受け部材となる。
【００１６】
（第１の工夫点）
第１の工夫点は、主に、原水改質装置５０の装置本体５２や第１内部水路２４に関する。図４は、原水改質装置５０の右側面図であり、図５は、その左側面図であり、図６は、その正面図であり、図７は、その分解図である。原水改質装置５０は、浴室壁部１６に固定される装置本体５２を備える。装置本体５２にはカートリッジ５４が収容される。カートリッジ５４は、荷重受け部材（バー部材４２）の外部に配置される。
【００１７】
本実施形態のカートリッジ５４は、自らの中心軸線Ｌｃ１が浴室壁部１６の内壁面と実質的に平行となるように配置される。本実施形態のカートリッジ５４は、自らの中心軸線Ｌｃ１が鉛直方向に実質的に沿うように配置される。本明細書での「実質的に」とは、言及している条件を厳密に満たす場合に限らず、寸法公差や製造誤差等の誤差の分だけ位置がずれる場合も含まれる。
【００１８】
以下、カートリッジ５４の中心軸線Ｌｃ１に沿った軸方向をＸ方向という。また、カートリッジ５４の中心軸線Ｌｃ１と直交する浴室壁部１６の内壁面と平行な軸直交方向をＹ方向、浴室壁部１６の法線方向をＺ方向という。ここでの法線方向とは、浴室壁部１６の内壁面の法線に沿った方向をいう。
【００１９】
図８は、原水改質装置５０の右側面断面図であり、図９は、その他の分解図である。図１０は、配管部材６６、６８（後述する）の周辺構造の分解図であり、図１１は、その他の分解図である。
【００２０】
装置本体５２は、前述の第１内部水路２４を形成する水路形成体５６と、水路形成体５６を支持する支持用本体部材５８と、水路形成体５６や支持用本体部材５８を覆う複数のカバー部材６０と、を備える。本実施形態の支持用本体部材５８は前述のブラケット４４を兼ねている。
【００２１】
水路形成体５６は、支持用本体部材５８に固定される第１本体部材６２と、第１本体部材６２に着脱可能に設けられる第２本体部材６４と、を備える。また、水路形成体５６は、第１本体部材６２に直列に接続される第１配管部材６６及び第２配管部材６８と、第２本体部材６４に接続される第３配管部材７０と、を備える。本実施形態の各配管部材６６、６８、７０はエルボ管が構成している。
【００２２】
図１２は、図８の拡大図である。図１０〜図１２に示すように、第１本体部材６２は、第１配管部材６６がシール部材を介して水密的に接続される第１配管接続部７２を備える。第１配管部材６６の上流側部分及び第１配管接続部７２の一方は、それらの他方の内側に差し込まれ、クリップ等の第１留め具７４により抜けが止められる。第１配管部材６６の上流側部分は、第１配管接続部７２にＺ方向の方向軸周り（図１１の方向Ｐｒ１）に回動可能に接続される。この条件を満たすうえで、第１配管部材６６の回転中心線はＺ方向の方向軸に沿っていなくともよい。
【００２３】
第２配管部材６８の上流側部分は、装置本体５２の一部となる第１配管部材６６の下流側部分にシール部材を介して水密的に接続される。第２配管部材６８は、第１配管部材６６にＹ方向の方向軸周り（図１１の方向Ｐｒ２）に回動可能に接続される。この条件を満たすうえで、第２配管部材６８の回転中心線はＹ方向の方向軸に沿っていなくともよい。第２配管部材６８の下流側部分には、二次側配管３２が継手を介して接続される第１外部配管接続部７６が設けられる。
【００２４】
図８を参照する。第２本体部材６４は、第３配管部材７０の下流側部分がシール部材を介して水密的に接続される第２配管接続部７８を備える。第３配管部材７０は、第２配管接続部７８にＺ方向の方向軸周り（図８の方向Ｐｒ３）に回動可能に接続される。この条件を満たすうえで、第３配管部材７０の回転中心線はＺ方向の方向軸に沿っていなくともよい。第３配管部材７０の上流側部分には、一次側配管２６が継手を介して接続される第２外部配管接続部８０が設けられる。
【００２５】
図６を参照する。本実施形態の装置本体５２は、カートリッジ５４を収容する本体部５２ａと、本体部５２ａのＹ方向の側面部から突き出る突出部５２ｂとを有する。本体部５２ａは、第１本体部材６２、第２本体部材６４（本図では不図示）や、これらを覆うカバー部材６０が構成する。本体部５２ａは、Ｘ方向の外寸よりＹ方向やＺ方向の外寸が小さくなるように構成される。本体部５２ａは、Ｚ方向の外寸よりＹ方向の外寸が小さくなるように構成される。突出部５２ｂは、第１配管部材６６及び第２配管部材６８や、これらを覆うカバー部材６０が構成する。
【００２６】
図８、図１２を参照する。第１内部水路２４には、カートリッジ５４を収容するカートリッジ室８２が設けられる。カートリッジ室８２は、Ｘ方向に直線状に延びるように設けられる。本実施形態ではカートリッジ室８２内を上向きに水が流れる。本実施形態のカートリッジ室８２は、第１本体部材６２の内部に形成される下流室８２ａと、第２本体部材６４の内部に形成される上流室８２ｂとにより構成される。下流室８２ａ及び上流室８２ｂの一方（本例では上流室８２ｂ）は出入口８２ｃを有する。カートリッジ５４は、第１本体部材６２から第２本体部材６４を取り外した状態にあるとき、下流室８２ａ及び上流室８２ｂの一方（本例では上流室８２ｂ）に対して出入口８２ｃを通して出し入れ可能である（図７も参照）。
【００２７】
図１３は、第１内部水路２４を模式的に示す斜視図である。図８、図１３を参照する。前述の上流側水路３４は、カートリッジ室８２より上流側に設けられる第１上流側水路部３４ａと、第１上流側水路部３４ａより上流側に設けられる第２上流側水路部３４ｂとを備える。
【００２８】
第１上流側水路部３４ａは、上流側に向かうにつれて浴室壁部１６側に向けて延びる。第１上流側水路部３４ａは、カートリッジ室８２から浴室壁部１６側に向けて延びる。本実施形態の第１上流側水路部３４ａは、Ｙ方向から見て、カートリッジ５４の中心軸線Ｌｃ１やカートリッジ５４より浴室壁部１６側に位置する。第１上流側水路部３４ａは第２配管接続部７８や第３配管部材７０の上流側部分の内側に設けられる。
【００２９】
第２上流側水路部３４ｂは、第１上流側水路部３４ａからＸ方向かつ下向きに延びる。第２上流側水路部３４ｂは第３配管部材７０の上流側部分の内側に設けられる。
【００３０】
図１４は、図１０のＡ−Ａ断面図である。図８、図１３、図１４を参照する。前述の下流側水路３６は、カートリッジ室８２より下流側に設けられる第１下流側水路部３６ａと、第１下流側水路部３６ａより下流側に設けられる第２下流側水路部３６ｂと、第２下流側水路部３６ｂより下流側に設けられる第３下流側水路部３６ｃとを備える。
【００３１】
第１下流側水路部３６ａは、下流側に向かうにつれて浴室壁部１６側に向けて延びる。第１下流側水路部３６ａは、カートリッジ室８２から浴室壁部１６側に向けて延びる。第１下流側水路部３６ａの一部は、Ｙ方向から見て、カートリッジ５４やカートリッジ室８２より浴室壁部１６側に位置するように設けられる。第１下流側水路部３６ａは、第１配管接続部７２や第１配管部材６６の上流側部分の内側に設けられる。
【００３２】
第２下流側水路部３６ｂは、第１下流側水路部３６ａからＹ方向に延びる。第２下流側水路部３６ｂは、第１配管部材６６の下流側部分や第２配管部材６８の上流側部分の内側に設けられる。
【００３３】
第３下流側水路部３６ｃは、第２下流側水路部３６ｂからＸ方向かつ下向きに延びる。第３下流側水路部３６ｃは、第２配管部材６８の下流側部分の内側に設けられる。
【００３４】
図５、図６を参照する。第１外部配管接続部７６の内側には下流側水路３６の下流側端部が設けられる。このような第１外部配管接続部７６は、Ｚ方向（図６の視点）から見て、装置本体５２の本体部５２ａやカートリッジ５４よりＹ方向にずれた位置に設けられる。第１外部配管接続部７６は、Ｙ方向（図５の視点）から見て、カートリッジ５４より浴室壁部１６側に設けられる。第１外部配管接続部７６は、Ｙ方向から見て、装置本体５２の本体部５２ａと重なる位置に設けられる。
【００３５】
装置本体５２には、装置本体５２と浴室壁部１６の間であって、第３配管部材７０とＸ方向で対向する位置に凹部５２ｃが形成される。第３配管部材７０は、Ｚ方向（図６の視点）から見て、装置本体５２からＹ方向にはみ出ないように凹部５２ｃの内側に配置される。
【００３６】
第２外部配管接続部８０の内側には、上流側水路３４の上流側端部が設けられる。このような第２外部配管接続部８０は、Ｚ方向（図６の視点）から見て、カートリッジ５４とＸ方向において重なる位置に設けられる。第２外部配管接続部８０は、Ｙ方向（図５の視点）から見て、カートリッジ５４より浴室壁部１６側に設けられる。
【００３７】
以上の第１工夫点に関する効果を説明する。
【００３８】
下流側水路３６は、下流側水路３６の下流側に向かうにつれて浴室壁部１６側に向けて延びる第１下流側水路部３６ａを有する。よって、下流側水路３６に第１下流側水路部３６ａがない構造と比べて、浴室壁部１６に近い箇所に二次側配管３２を配置するレイアウトを実現できる。これに伴い、浴室壁部１６に近い壁際のスペースを有効に活用して、二次側配管３２を配置できる。
【００３９】
（Ａ）下流側水路３６は、第１下流側水路部３６ａからＹ方向に延びる第２下流側水路部３６ｂを有する。よって、カートリッジ５４と浴室壁部１６の間を避けた箇所に二次側配管３２を配置するレイアウトを実現できる。これに伴い、カートリッジ５４と浴室壁部１６の間に二次側配管３２を配置する場合と比べ、装置本体５２や浴室壁部１６との二次側配管３２の干渉を避けやすくなる。これに伴い、二次側配管３２に接続される吐水装置２０（シャワーヘッド）の使い勝手が良好となる。
【００４０】
（Ｂ）第２配管部材６８は、装置本体５２の一部（第１配管部材６６）にＹ方向の方向軸周りに回動可能に接続される。よって、第２配管部材６８の回動によって、その第２配管部材６８に接続される二次側配管３２の可動域を大きくできる。これに伴い、二次側配管３２に接続される吐水装置２０（シャワーヘッド）の使い勝手が良好となる。
【００４１】
上流側水路３４は、上流側水路３４の上流側に向かうにつれて浴室壁部１６側に向けて延びる第１上流側水路部３４ａを有する。よって、上流側水路３４に第１上流側水路部３４ａがない構造と比べ、浴室壁部１６に近い箇所に一次側配管２６を配置するレイアウトを実現できる。これに伴い、浴室壁部１６に近い壁際のスペースを有効に活用して、一次側配管２６を配置できる。
【００４２】
なお、図１２、図１３に示すように、上流側水路３４は、カートリッジ室８２に設けられる上流側室内水路部３４ｃを備える。また、下流側水路３６は、カートリッジ室８２に設けられる下流側室内水路部３６ｄを備える。原水供給路２８は、上流側室内水路部３４ｃより小径であり、下流側室内水路部３６ｄは、原水供給路２８より小径である。
【００４３】
次に、第１の工夫点に関連する他の特徴を説明する。原水改質装置５０は、改質水供給路３０及び原水供給路２８のなかから第１内部水路２４の通水経路を切り替え可能な弁機構１００を備える。本実施形態の弁機構１００は原水供給路２８を開閉可能である。本実施形態の弁機構１００は、原水供給路２８に設けられるとともに弁孔１０２が形成される弁座１０４と、弁孔１０２を開閉可能な弁体部１０６と、を備える。本実施形態の弁体部１０６はカートリッジ５４に設けられる。本実施形態の弁孔１０２は弁座１０４そのものの内壁面が形成し、後述する戻し方向Ｐａ２側に向かうにつれて内径が小さくなるテーパー面が構成する。
【００４４】
原水改質装置５０は、弁機構１００を作動させることによって、改質水供給路３０及び原水供給路２８のなかから第１内部水路２４の通水経路を切り替え可能な水路切替機構１１０を備える。本実施形態の水路切替機構１１０は第１本体部材６２に組み込まれる。
【００４５】
水路切替機構１１０は、第１内部水路２４の通水経路を切り替えるために操作される第１操作部材１１２と、第１操作部材１１２に連動して動かされる従動部材１１４と、第１操作部材１１２と従動部材１１４を連動させる連動機構１１６と、を備える。本実施形態の第１操作部材１１２は押圧操作を受けるプッシュボタンであるが、回転操作を受ける回転ハンドル等でもよい。
【００４６】
従動部材１１４は、カートリッジ室８２の下流室８２ａの奥底部に形成される貫通孔に挿通される。従動部材１１４はカートリッジ室８２に一部が配置され、従動部材１１４以外の水路切替機構１１０の構成部品はカートリッジ室８２に配置されない。本実施形態の従動部材１１４は、第１操作部材１１２に連動して作動方向Ｐａ１に動かされることで、弁機構１００の弁体部１０６を動かせる。本実施形態の従動部材１１４は、弁機構１００の弁体部１０６が設けられるカートリッジ５４の全体を作動方向Ｐａ１に押圧するように動かせる。
【００４７】
原水改質装置５０は、図８に示すように、水路切替機構１１０による弁体部１０６の作動方向Ｐａ１とは反対側の戻し方向Ｐａ２に弁体部１０６を付勢する付勢部材１１８を備える。本実施形態の付勢部材１１８は、カートリッジ室８２の上流室８２ｂの奥底部とカートリッジ５４との間に配置され、弁体部１０６と一体的にカートリッジ５４を付勢する。付勢部材１１８は、たとえば、コイルスプリング等の弾性部材である。水路切替機構１１０の構成部品や弁体部１０６は、付勢部材１１８の付勢力に抗して動かされる。
【００４８】
図１２に戻る。連動機構１１６は、第１操作部材１１２に連動して従動部材１１４の動く方向とは異なる方向に動き、従動部材１１４を作動方向Ｐａ１に押し動かす駆動部材１２０を備える。
【００４９】
図１５は、原水改質装置５０の他の動作状態を図８と同じ視点から見た図である。図１２、図１５に示すように、連動機構１１６は、第１操作部材１１２が操作を受ける毎に従動部材１１４の位置を切り替え可能な位置切替機構１２２を備える。本実施形態の位置切替機構１２２はスラストロック機構であるが、この他にも、ハートカム機構、回転カム機構、ラチェットカム機構等でもよい。本実施形態の位置切替機構１２２の構成部品には、スリーブ１２２ａ、回転子１２２ｂ、駆動子１２２ｃが含まれる。位置切替機構１２２は、従動部材１１４が作動方向Ｐａ１及び戻し方向Ｐａ２に往復動する毎に、従動部材１１４のＸ方向での位置を切り替える。これに伴い、弁体部１０６のＸ方向での位置が切り替えられる。
【００５０】
本実施形態の水路切替機構１１０は、弁体部１０６が弁孔１０２を閉じる閉位置Ｐ１と、弁体部１０６が弁孔１０２を開く開位置Ｐ２との何れかに保持する。水路切替機構１１０は、第１操作部材１１２が操作を受ける度にカートリッジ５４（弁体部１０６）の位置を閉位置Ｐ１と開位置Ｐ２の間で切り替える。
【００５１】
弁体部１０６は、弁座１０４に接触して弁孔１０２を閉じる閉位置Ｐ１と、閉位置Ｐ１より弁座１０４から離間して弁孔１０２を開く開位置Ｐ２との間を進退可能である。本実施形態の弁体部１０６の進退方向ＰｄはＸ方向である。
【００５２】
以上の水路切替機構１１０は、Ｘ方向において、カートリッジ５４に対して重なる位置に配置される。本実施形態の水路切替機構１１０は、戻し方向Ｐａ２、Ｘ方向でカートリッジ室８２の下流側、及び、上側、のそれぞれにおいて、カートリッジ５４に対して重なる位置に配置される。この条件は、水路切替機構１１０の構成部品の少なくとも一部が満たしていればよい。この条件は、本実施形態では、水路切替機構１１０の従動部材１１４を含む構成部品が満たしている。これにより、Ｘ方向において水路切替機構１１０をカートリッジ５４と重ならない位置に配置するより、装置本体５２のＹ方向やＺ方向での寸法の小型化を図れる。
【００５３】
次に、装置本体５２に関する他の特徴を説明する。図１６は、図１０に示す構成部品の組立図である。図１７は、図１６のＢ−Ｂ断面を模式的に示す図である。図１８は、図１７の矢視Ｃから第１配管部材６６を見た図である。
【００５４】
支持用本体部材５８は、第１配管部材６６の一部を収容する配管収容部５８ａを備える。配管収容部５８ａは、第１配管部材６６の一部を間に挟んで配置される一対の側壁部５８ｂを備える。一対の側壁部５８ｂはＹ方向に間を置いて配置される。
【００５５】
第１配管部材６６は、第１内部水路２４の一部が内部に形成される第１本体管部６６ａを備える。第１本体管部６６ａには第１留め具７４を抜き差しするための差込孔６６ｂが形成される。
【００５６】
第１配管部材６６は、第１本体管部６６ａの外部に設けられるガタ規制部６６ｃを備える。ここでの「第１本体管部６６ａの外部」とは、第１本体管部６６ａが形成する第１内部水路２４や、第１本体管部６６ａの外内を貫通する孔とは異なる箇所のことをいう。ここでの「孔」とは、たとえば、差込孔６６ｂである。
【００５７】
本実施形態のガタ規制部６６ｃはＹ方向に間を置いて一対配置される。一対のガタ規制部６６ｃは板状をなしている。一対のガタ規制部６６ｃのそれぞれは一対の側壁部５８ｂのそれぞれとＹ方向に対向する位置に配置される。本実施形態の一対のガタ規制部６６ｃは、一対の側壁部５８ｂの間に配置される。本実施形態のガタ規制部６６ｃは平面状のガタ規制面６６ｄを有し、側壁部５８ｂはガタ規制面６６ｄと対向する平面状の対向面５８ｃを有する。
【００５８】
ガタ規制部６６ｃは、第１配管部材６６がＺ方向の方向軸周り（図１７の方向Ｐｒ１）に回動しようとしたとき、支持用本体部材５８の側壁部５８ｂと接触する。詳しくは、一対のガタ規制部６６ｃそれぞれのガタ規制面６６ｄは、一対の側壁部５８ｂそれぞれの対向面５８ｃと接触する。これにより、ガタ規制部６６ｃは、Ｚ方向の方向軸周りでの第１配管部材６６の動きを規制可能である。一対のガタ規制部６６ｃは、たとえば、Ｚ方向の方向軸周りでの第１配管部材６６の可動範囲が５°以下となるように、その動きを規制可能である。
【００５９】
（Ｃ）これにより、装置本体５２の第１配管接続部７２に第１配管部材６６を回動可能に接続する場合、その第１配管部材６６の大きなガタつきを抑制できる。これに伴い、第１配管部材６６のガタつきに起因する二次側配管３２の位置の変化を抑えられる。
【００６０】
図９、図１０、図１６を参照する。原水改質装置５０は、第１配管部材６６とは別体であり、第１配管部材６６の外部に配置される抜止部１３０を備える。ここでの第１配管部材６６の外部とは、前述の第１本体管部６６ａの外部と同義である。本実施形態の抜止部１３０は支持用本体部材５８の側壁部５８ｂに設けられる。装置本体５２の第１配管接続部７２から第１配管部材６６が抜ける方向を抜け方向Ｐｅ１とし、抜け方向とは反対方向を差し方向Ｐｅ２という。抜止部１３０は、第１配管部材６６に対して抜け方向Ｐｅ１に位置するように設けられる。抜止部１３０は、差し方向Ｐｅ２に向かって開放する溝状をなす。
【００６１】
図１６、図１８を参照する。第１配管部材６６は、抜止部１３０に対して差し方向Ｐｅ２に対向する位置に設けられる突当部１３２を備える。本実施形態の第１配管部材６６は、上流側水路３４の第１上流側水路部３４ａの中心軸線Ｌｃ２を間に挟んだ位置に設けられる一対の突当部１３２を備える。一方の突当部１３２のそれぞれは板状をなす。詳しくは、一方の突当部１３２は平板状をなし、他方の突当部１３２はＵ字状に折り曲げた板状をなす。一対の突当部１３２のそれぞれの抜止部１３０と対向する面は円弧状をなす。突当部１３２は抜止部１３０の内側に配置される。
【００６２】
抜止部１３０は、突当部１３２との接触を伴い、装置本体５２の第１配管接続部７２からの第１配管部材６６の抜けを止められる。これにより、第１配管接続部７２に対する第１配管部材６６の接続強度を向上できる。特に、第１留め具７４を用いずとも第１配管接続部７２からの第１配管部材６６の抜けを止められる利点がある。
【００６３】
（第２の工夫点）
次に、本実施形態の原水改質装置５０の第２の工夫点を説明する。第２の工夫点は、主に、カートリッジ５４に関する。
【００６４】
図１９は、カートリッジ５４の側面図である。図８も参照する。カートリッジ５４は長尺体である。カートリッジ５４は、長尺状の改質部１５０と、カートリッジ５４の内部に設けられる第２内部水路１５２と、改質部１５０の両端部に取り付けられるキャップ部材１５４、１５６と、を備える。キャップ部材１５４、１５６には、作動方向Ｐａ１側（Ｘ方向の一方側）にある第１キャップ部材１５４と、戻し方向Ｐａ２側（Ｘ方向の他方側）にある第２キャップ部材１５６とが含まれる。本実施形態での作動方向Ｐａ１側とはカートリッジ室８２の上流側であり、戻し方向Ｐａ２側とはカートリッジ室８２の下流側をいう。
【００６５】
改質部１５０は、上流側水路３４の上流側室内水路部３４ｃから送られる原水を通すことができ、その原水を通す過程で改質材により原水を改質することで改質水を生成可能である。本実施形態の改質部１５０は、上流側水路３４から第２内部水路１５２に水を通すことができる。本実施形態の改質部１５０と第２内部水路１５２は改質水供給路３０を構成する。本実施形態の改質部１５０はＸ方向に延びる筒状をなし、その内側には第２内部水路１５２の一部が形成される。本実施形態の改質部１５０は、複数の不織布等の透水膜間に改質材を収容して構成される。改質材は、たとえば、活性炭、炭酸カルシウム等である。
【００６６】
第２内部水路１５２には、第２内部水路１５２の下流側部分を構成するとともにＸ方向に直線状に延びるストレート部１５２ａが設けられる。
【００６７】
第１キャップ部材１５４は有底筒状をなし、その外周部には複数のリブ部１５４ａが形成される。
【００６８】
図２０は、図１２の拡大図である。図１９、図２０に示すように、第２キャップ部材１５６は、改質部１５０の端部を受ける有底筒状の端受け部１５８を備える。端受け部１５８の外周部には外周側に突き出る複数のリブ部１５８ａが形成される。
【００６９】
第２キャップ部材１５６は、端受け部１５８の他に、端受け部１５８からＸ方向に延びる筒状の軸部１６０と、軸部１６０の先端部に設けられる有底筒状のヘッド部１６２と、を備える。軸部１６０やヘッド部１６２の内側には第２内部水路１５２の一部が形成される。ヘッド部１６２は、下流側水路３６と改質水供給路３０を隔てる。
【００７０】
ヘッド部１６２には、下流側水路３６と改質水供給路３０を連通させる通水孔１６４が形成される。ヘッド部１６２には、周方向に間を置いて複数の通水孔１６４が形成される。複数の通水孔１６４は実質的に等角度間隔を空けた箇所に位置するように形成される。通水孔１６４は、ヘッド部１６２の外周壁部１６２ａを貫通する第１孔部１６４ａと、ヘッド部１６２の頂壁部１６２ｂを貫通する第２孔部１６４ｂとを有する。
【００７１】
カートリッジ５４は、ユーザによる操作を通じて水路切替機構１１０の従動部材１１４を介して外力が付与される外力受け部１６６を備える。本実施形態の外力受け部１６６は、ヘッド部１６２の頂壁部１６２ｂが構成する。本実施形態の外力受け部１６６は、従動部材１１４により押圧されることで作動方向Ｐａ１の外力が付与される。本実施形態の作動方向Ｐａ１はＸ方向の一方側であり、直進力が外力として付与される。本実施形態の外力受け部１６６の外力を受ける外力受け面１６６ａは平坦面である。この外力受け面１６６ａは、弁体部１０６の進退方向Ｐｄ（Ｘ方向）に実質的に直交するように設けられる。
【００７２】
カートリッジ５４の弁体部１０６は、第２キャップ部材１５６の軸部１６０に設けられる。弁体部１０６は、外力受け部１６６が外力を受けたときに自らが動くことによって、弁孔１０２を開閉可能である。本実施形態では、外力受け部１６６が外力を受けたとき、弁体部１０６を含むカートリッジ５４全体が動くことができる。
【００７３】
弁体部１０６は、軸部１６０から径方向外側に張り出す複数の鍔部１６８、１７０と、第２シール部材１７２が装着される装着溝１７４と、を備える。複数の鍔部１６８、１７０には、前述の作動方向Ｐａ１側の第１鍔部１６８と、戻し方向Ｐａ２側の第２鍔部１７０とが含まれる。装着溝１７４は、第１鍔部１６８と第２鍔部１７０の間に形成される。第２シール部材１７２は、Ｏリング等の弾性体である。
【００７４】
弁体部１０６は、弁座１０４に接触することで弁座１０４との間をシールするシール面１７６を備える。シール面１７６は、弁体部１０６の進退方向Ｐｄにおいて、弁座１０４に対して重なる位置に設けられる。本実施形態のシール面１７６は、閉位置Ｐ１にあるとき、第２シール部材１７２の弾性変形を伴い、弁座１０４に第２シール部材１７２を介して接触することで弁座１０４との間をシールする。本実施形態のシール面１７６は、第１鍔部１６８の戻し方向Ｐａ２側の外面が構成する。
【００７５】
このような弁体部１０６は、Ｘ方向において、外力受け部１６６と改質部１５０の間に配置される。この条件を満たすうえで、Ｘ方向において外力受け部１６６や改質部１５０と重なる位置に配置されるか否かは問わない。
【００７６】
以上のカートリッジ５４を用いた通水経路の切り替え動作を説明する。第１操作部材１１２が操作を受けると、連動機構１１６により第１操作部材１１２に連動して従動部材１１４が作動方向Ｐａ１に動かされる。従動部材１１４が作動方向Ｐａ１に動かされると、カートリッジ５４の外力受け部１６６に従動部材１１４から外力が付与され、付勢部材１１８の付勢力に抗してカートリッジ５４の弁体部１０６が動かされる。外力受け部１６６に付与される外力が解除されると、付勢部材１１８により戻し方向Ｐａ２に押し戻される。この一連の動きを経ることで、弁体部１０６の位置が閉位置Ｐ１と開位置Ｐ２の間で切り替えられる。
【００７７】
図１２に示すように、弁体部１０６が閉位置Ｐ１にあるとき、上流側水路３４の上流側室内水路部３４ｃから改質水供給路３０を通して下流側水路３６の下流側室内水路部３６ｄに改質水が供給される。このとき、第１内部水路２４の改質水供給路３０を通水経路（矢印Ｆａ参照）として水が流れる。
【００７８】
一方、図１５に示すように、弁体部１０６が開位置Ｐ２にあるとき、上流側室内水路部３４ｃから原水供給路２８を通して下流側室内水路部３６ｄに原水が供給される。このとき、改質水供給路３０（改質部１５０）に水を流すと大きな圧力損失を招くため、改質水供給路３０にはほとんど水が流れない。このため、弁体部１０６が開位置Ｐ２にあるとき、第１内部水路２４の原水供給路２８を通水経路（矢印Ｆｂ参照）として水が流れる。
【００７９】
このように、カートリッジ５４の弁体部１０６は、その外力受け部１６６が外力を受けたときに、閉位置Ｐ１と開位置Ｐ２との間を進退することで、原水供給路２８と改質水供給路３０のなかから通水経路を切り替え可能である。
【００８０】
以上の第２工夫点に関連する効果を説明する。
【００８１】
本実施形態のカートリッジ５４によれば、その外力受け部１６６が外力を受けて弁体部１０６が動くことによって、第１内部水路２４内での通水経路を切り替え可能となる。よって、新たな手法で通水経路の切り替えを実現できる。
【００８２】
また、カートリッジ５４が弁体部１０６を備えるため、そのカートリッジ５４の交換により弁機構１００の構成要素となる弁体部１０６も交換できる。
【００８３】
弁体部１０６は、その進退方向Ｐｄにおいて、弁座１０４に対して重なる位置に配置されるシール面１７６を備える。よって、弁体部１０６をＸ方向に進退させることで弁孔１０２を開閉する場合に、弁孔１０２に接触する可動要素の摺動を防げる。本実施形態での「可動要素」とは第２シール部材１２４である。これに伴い、弁体部１０６を進退させるときに付与すべき外力を小さくでき、水路切替機構１１０の第１操作部材１１２に入力すべき外力を小さくできる。
【００８４】
弁体部１０６は、弁体部１０６の進退方向Ｐｄにおいて、外力受け部１６６と改質部１５０の間に配置される。よって、外力受け部１６６に対して改質部１５０とは進退方向Ｐｄの反対側に弁体部１０６を配置する場合と比べ、カートリッジ５４の進退方向Ｐｄでの寸法の小型化を図れる。
【００８５】
外力受け部１６６の外力受け面１６６ａは、弁体部１０６の進退方向Ｐｄと実質的に直交するように設けられる平坦面である。よって、従動部材１１４により外力受け部１６６を押圧するときに、外力受け部１６６に進退方向Ｐｄに沿って真っ直ぐな外力を入力し易くなる。これに伴い、弁体部１０６が進退方向Ｐｄに沿って真っ直ぐに動き易くなり、弁体部１０６の動作の安定化を図れる。
【００８６】
ヘッド部１６２に形成される通水孔１６４は、ヘッド部１６２の外周壁部１６２ａを貫通する第１孔部１６４ａを有する。よって、ヘッド部１６２の頂壁部１６２ｂが外力受け部１６６を構成し、その頂壁部１６２ｂに通水孔１６４を形成し難い構造のもとでも、第１孔部１６４ａを通して通水量を確保できる。
【００８７】
なお、上流側水路３４と下流側水路３６は、改質水供給路３０を介して常に連通している。よって、原水改質装置５０の通水経路を切り替えるときにウォーターハンマーの発生を防げる。
【００８８】
第２工夫点に関連する他の特徴を説明する。図２０を参照する。カートリッジ５４は、弁孔１０２の中心軸線Ｌｃ２を中心とする円の径方向での弁体部１０６の動きを案内するための第１ガイド部１８０を備える。本実施形態の第１ガイド部１８０は、第２鍔部１７０の外周部に設けられる。第１ガイド部１８０は、ヘッド部１６２より作動方向Ｐａ１側に設けられる。本実施形態の第１ガイド部１８０は、戻し方向Ｐａ２側に向かうにつれて縮径するテーパー面である。
【００８９】
第１ガイド部１８０は、弁体部１０６が開位置Ｐ２から閉位置Ｐ１に移動するとき、弁孔１０２との接触を伴い、弁体部１０６の径方向での動きを案内可能である。第１ガイド部１８０は、カートリッジ５４の中心軸線Ｌｃ１が弁孔１０２の中心軸線Ｌｃ２に近づくように径方向に案内する。これにより、弁体部１０６が開位置Ｐ２から閉位置Ｐ１に移動するとき、弁孔１０２に対して径方向で弁体部１０６を位置合わせできる。これに伴い、弁体部１０６の動作安定性が向上する。
【００９０】
なお、弁孔１０２はテーパー面であり、弁体部１０６が開位置Ｐ２から閉位置Ｐ１に移動するとき、弁孔１０２の径方向での弁体部１０６の動きを案内するための第２ガイド部１８２を構成しているといえる。
【００９１】
ヘッド部１６２の内底面には、改質水供給路３０内をＸ方向に流れる水を通水孔１６４の第１孔部１６４ａに誘導する誘導部１８４が設けられる。誘導部１８４は、ヘッド部１６２の内底面からＸ方向に突き出るように設けられる。誘導部１８４の外面は、改質水供給路３０のストレート部１５２ａ内での流れ方向に向かうにつれて、通水孔１６４の第１孔部１６４ａ側に延びるように設けられる。本実施形態の誘導部１８４の外面は、カートリッジ５４の中心軸線Ｌｃ１と同心状の錘状をなす。
【００９２】
第２内部水路１５２のストレート部１５２ａ内をＸ方向に直進するように流れてきた水は、その誘導部１８４と衝突することで、その流れ方向が通水孔１６４の第１孔部１６４ａに向かうように誘導される（矢印Ｆｃ参照）。これにより、改質水供給路３０から第１孔部１６４ａを通して下流側水路３６にスムーズに水を流せる。これに伴い、改質水供給路３０内での圧力損失を軽減できる。
【００９３】
図２１は、図１９のＣ−Ｃ端面図である。図２０、図２１を参照する。カートリッジ５４は、第１鍔部１６８に対して弁座１０４とは反対側にて弁座１０４と対向する鍔対向部１９０と、第１鍔部１６８と鍔対向部１９０との間に設けられる補強部１９２と、を備える。本実施形態の鍔対向部１９０は、端受け部１５８の進退方向Ｐｄの端面部が構成する。補強部１９２は、第１鍔部１６８を補強する役割を持ち、第１鍔部１６８と鍔対向部１９０を接続する。本実施形態の補強部１９２は、軸部１６０の外周部から外周側に突き出る板状のリブが構成する。本実施形態の補強部１９２は、軸部１６０の周方向に実質的に等角度間隔を置いて複数設けられる。
【００９４】
第１鍔部１６８のシール面１７６が弁座１０４に押し当てられるとき、弁座１０４から第１鍔部１６８にＸ方向での反力が付与される。補強部１９２は、第１鍔部１６８の反力を鍔対向部１９０に伝達することで、第１鍔部１６８に付与される反力を分散する。これにより、第１鍔部１６８に付与されるＸ方向での反力に対する強度の向上を図れる。
【００９５】
なお、弁体部１０６が開位置Ｐ２にあるとき、付勢部材１１８の付勢力により従動部材１１４に押し付けられた状態で弁体部１０６が開位置Ｐ２に保持される。一方、弁体部１０６が閉位置Ｐ１にあるとき、付勢部材１１８の付勢力により弁座１０４に押し付けられた状態で弁体部１０６が閉位置Ｐ１に保持される。
【００９６】
弁体部１０６が閉位置Ｐ１にあるとき、従動部材１１４はカートリッジ５４の外力受け部１６６に接触している。カートリッジ５４にＸ方向に付与される水圧は、外力受け部１６６に対する従動部材１１４の接触面積Ｓ１に応じて変化する。詳しく説明する。
【００９７】
図８を参照する。カートリッジ５４は、Ｘ方向の戻し方向Ｐａ２側に向かう水圧を受けて弁体部１０６に伝達する第１受圧面１９６と、Ｘ方向の作動方向Ｐａ１側に向かう水圧を受けて弁体部１０６に伝達する第２受圧面１９８とを備える。第１受圧面１９６は、作動方向Ｐａ１側を向いているカートリッジ５４の面であり、第２キャップ部材１５６の端面に少なくとも一部が設けられる。第２受圧面１９８は、戻し方向Ｐａ２側を向いているカートリッジ５４の面であり、外力受け部１６６の外力受け面１６６ａに少なくとも一部が設けられる。
【００９８】
第２受圧面１９８の面積は、前述の接触面積Ｓ１が増加すると減少し、その接触面積Ｓ１が減少すると増加する。本実施形態の第１受圧面１９６と第２受圧面１９８の面積は、それらが受ける水圧の差圧によって、弁体部１０６が戻し方向Ｐａ２側の弁座１０４に押し付けられるように設定される。これを実現するため、前述の接触面積Ｓ１の大きさが調整されている。この接触面積Ｓ１は、たとえば、３〜３０［ｍｍ２］の大きさに設定される。この接触面積Ｓ１が３［ｍｍ２］未満であると、弁体部１０６に付与される押付力が不十分となる恐れがある。一方、この接触面積Ｓ１が３０［ｍｍ２］超であると、弁体部１０６に付与される押付力が過多となることが懸念される。この場合、水路切替機構１１０の第１操作部材１１２を通して、外力受け部１６６に付与すべき外力の増大に伴う操作性の低下が懸念される。
【００９９】
（第２の実施の形態）
図２２は、第２実施形態の原水改質装置５０を示す正面図である。本実施形態の原水改質装置５０は、浴室壁部１６の正面側から見て、Ｙ方向に実質的に対称に設けられる。これ以外の点では第１実施形態の原水改質装置５０と同様である。
【０１００】
本実施形態の装置本体５２の突出部５２ｂは、浴室壁部１６の正面側から見て、水栓装置１８とはＹ方向で反対側に向けて本体部５２ａから突き出ている。これにより、その本体部５２ａに接続される二次側配管３２が水栓装置１８や一次側配管２６と干渉し難くなり、その二次側配管３２に接続される吐水装置２０（シャワーヘッド）の使い勝手が良好となる。
【０１０１】
以上、実施形態をもとに本発明を説明した。次に、各構成要素の変形例を説明する。
【０１０２】
一次側配管２６や二次側配管３２はホースでなくともよい。これら配管２６、３２は、浴室壁部１６の内部や、装置本体５２とは別の部材の内部に配置されていてもよい。
【０１０３】
機能部品３８の「機能」は、浴室用物品４０や入浴者の荷重を受けることである例を説明した。この浴室用物品４０は、シャワーフックに限定されず、たとえば、シャワーヘッド、風呂蓋、ホース等でもよい。機能部品３８は、シャワーヘッドの荷重を受ける場合はシャワーフックとなり、風呂蓋の荷重を受ける場合は風呂蓋フックとなり、ホースの荷重を受ける場合はホースフックとなる。また、機能部品３８の「機能」は、入浴者の荷重を受けることである場合、スライドバーの他にも、たとえば、単なる手すり等でもよい。また、機能部品３８の「機能」は、浴室に関連する機能であって、水の改質とは別の機能を発揮するためのものであればよく、その具体例は前述の例に限定されない。
【０１０４】
原水改質装置５０は、浴室用機能部品３８と組み合わせなくともよい。原水改質装置５０は、水栓装置１８及び吐水装置２０の何れか一方又は両方を兼ねていてもよい。
【０１０５】
カートリッジ５４は、原水の改質態様として、原水の浄化を例に説明したが、これに限られない。たとえば、美容成分、臭い成分、炭酸成分、水素成分の付与等でもよい。
【０１０６】
（第１の工夫点）
第１下流側水路部３６ａは、下流側に向かうにつれて浴室壁部１６側に向けて延びていればよい。これを満たしていれば、実施形態のように、Ｚ方向に沿って直線状に延びる場合の他に、Ｚ方向の方向軸に対して傾斜して延びてもよい。また、実施形態のように、下流側に向かうにつれて連続的に浴室壁部１６側に向けて延びる場合の他に、段階的に浴室壁部１６側に向けて延びてもよい。
【０１０７】
第２下流側水路部３６ｂは、第１下流側水路部３６ａからＸ方向に延びてもよいし、その下流側端部に二次側配管３２が接続されてもよい。これは、装置本体５２に単数の配管部材６６を介して二次側配管３２が接続される場合を想定している。
【０１０８】
下流側水路３６は第３下流側水路部３６ｃを備えなくともよい。この場合でも、前述の（Ａ）、（Ｂ）の効果を得られる。この場合、第２配管部材６８は、たとえば、ストレート管等により構成される。
【０１０９】
上流側水路３４は、カートリッジ室８２からＸ方向やＹ方向に延びていてもよいし、浴室壁部１６とは反対側に延びていてもよい。上流側水路部３４ａは、実施形態のように、Ｚ方向に沿って直線状に延びる場合の他に、Ｚ方向の方向軸に対して傾斜して延びてもよい。また、実施形態のように、上流側に向かうにつれて連続的に浴室壁部１６側に向けて延びる場合の他に、段階的に浴室壁部１６側に向けて延びてもよい。
【０１１０】
前述の（Ｃ）の効果を得るうえで、第１配管部材６６のガタ規制部６６ｃは、他の部材との接触によって、第１配管部材６６の動きを規制可能であればよい。ここでの他の部材とは、支持用本体部材５８に限られず、たとえば、第１本体部材６２、第２本体部材６４等の装置本体５２の一部でもよい。
【０１１１】
抜止部１３０は、支持用本体部材５８とは別の部材に設けられてもよい。たとえば、第２本体部材６４に設けられてもよい。
【０１１２】
水路切替機構１１０は、Ｘ方向において、カートリッジ５４に対して重ならない位置であって、カートリッジ５４よりＹ方向やＺ方向にずれた位置に配置されてもよい。
【０１１３】
第１の工夫点で説明した効果を得るうえで、弁機構１００は、カートリッジ５４とは別体に設けられてもよい。
【０１１４】
（第２の工夫点）
カートリッジ室８２の下流室８２ａに付勢部材１１８を配置し、その上流室８２ｂに従動部材１１４の一部を配置してもよい。この場合、Ｘ方向で作動方向Ｐａ１側はカートリッジ室８２の下流側となり、Ｘ方向で戻し方向Ｐａ２側はカートリッジ室８２の上流側となる。
【０１１５】
外力受け部１６６に付与される外力の方向は特に限定されない。たとえば、カートリッジ５４の中心軸線Ｌｃ１周りを回転する方向でもよい。水路切替機構１１０の作動方向Ｐａ１も同様である。
【０１１６】
外力受け部１６６が外力を受けたときに弁体部１０６が動ければよく、カートリッジ５４の全体が動くことは必須とならない。
【０１１７】
弁体部１０６のシール面１７６は、シール部材１７２を介さずに、弁座１０４に直接に接触することで弁孔１０２を閉じてもよい。
【０１１８】
シール面１７６の位置は特に限定されない。たとえば、シール面１７６は、Ｘ方向において、弁座１０４と重ならない位置であって、弁孔１０２の径方向において、弁座１０４と重なる位置に設けられてもよい。また、シール面１７６は、第１鍔部１６８の他にも、端受け部１５８等に設けられていてもよい。
【０１１９】
弁孔１０２は弁座１０４の内壁面が構成する例を説明したが、弁座１０４の内壁面とは異なる箇所に形成されてもよい。
【０１２０】
弁座１０４はテーパー面である例を説明したが、シール面１７６とＸ方向に対向する平坦面等でもよい。いずれにしても、シール面１７６は、弁座１０４に対してＸ方向で重なる位置に設けられることになる。
【０１２１】
第２シール部材１７２は、第１内部水路２４に形成した装着溝に装着してもよい。弁体部１０６は第２シール部材１７２を備えなくともよいということである。
【０１２２】
ヘッド部１６２は、上流側水路３４と下流側水路３６のうちの一方の水路と改質水供給路３０を隔ててもよい。同様に、通水孔１６４は、その一方の水路と改質水供給路３０を連通させてもよい。
【０１２３】
通水孔１６４は第１孔部１６４ａ及び第２孔部１６４ｂのうちの一方のみを有していてもよい。通水孔１６４は、ヘッド部１６２以外の箇所に形成されてもよい。たとえば、第２キャップ部材１５６にヘッド部１６２を形成せず、軸部１６０の先端部に通水孔１６４を形成してもよい。
【０１２４】
誘導部１８４は、改質水供給路３０内を流れる水を通水孔１６４の第１孔部１６４ａに誘導可能であれば、その具体的な形状は特に限定されない。
【０１２５】
補強部１９２は板状のリブを例に説明したが、その具体例は特に限られない。たとえば、ブロック状等をなしていてもよい。
【０１２６】
外力受け部１６６の外力受け面１６６ａは平坦面である例を説明したが、半球状の曲面等でもよい。
【０１２７】
原水供給路２８はカートリッジ５４の外部に設けられ、改質水供給路３０はカートリッジ５４の内部にのみ設けられる例を説明した。この他にも、原水供給路２８はカートリッジ５４の内部に設けられ、改質水供給路３０の一部はカートリッジ５４の外部に設けられてもよい。この場合でも改質水供給路３０の一部となる改質部１５０はカートリッジ５４に設けられていればよい。つまり、カートリッジ５４には改質水供給路３０の少なくとも一部が設けられていればよい。この場合、カートリッジ５４とカートリッジ室８２の間が改質水供給路３０の一部となる。この場合、カートリッジ５４の内部の原水供給路２８に弁座１０４が設けられ、弁体部１０６はカートリッジ５４の他の部位（改質部１５０）に対して相対移動可能に設けられてもよい。
【０１２８】
第２の工夫点で説明した効果を得るうえで、装置本体５２の第１内部水路２４の具体例は特に限定されない。第１内部水路２４は、たとえば、下流側水路３６の第１下流側水路部３６ａを備えなくともよい。また、原水改質装置５０は、流し台、洗面キャビネット等の浴室空間とは異なる箇所に設置されていてもよい。
【０１２９】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【０１３０】
以上の実施形態、変形例により具体化される発明を一般化すると、以下の技術的思想が導かれる。以下、発明が解決しようとする課題に記載の態様を用いて説明する。
【０１３１】
第２態様のカートリッジは、第１態様において、前記原水供給路には弁孔が形成される弁座が設けられ、前記弁体部は、前記弁座に接触して前記弁孔を閉じる閉位置と、前記閉位置より前記弁座から離間して前記弁孔を開く開位置との間を進退可能であり、前記弁体部は、前記弁体部の進退方向において、前記弁座に対して重なる位置に設けられるシール面を備えてもよい。この態様によれば、弁体部を進退させることで弁孔を開閉する場合に、弁孔に接触する可動要素の摺動を防げる。
【０１３２】
第３態様のカートリッジは、第２態様において、前記シール面が設けられる鍔部と、前記鍔部に対して前記弁座とは反対側にて前記鍔部と対向する鍔対向部と、前記鍔部と前記鍔対向部との間に設けられる補強部と、を備えてもよい。鍔部のシール面が弁座に押し当てられるとき、鍔部には反力が付与される。この態様によれば、その反力を補強部により鍔対向部に伝達することで、その反力に対する強度の向上を図れる。
【０１３３】
第４態様のカートリッジは、第１から第３態様のいずれかにおいて、前記弁体部は、前記原水供給路に形成される弁孔を閉じる閉位置と、前記弁孔を開く開位置との間を進退可能であり、本カートリッジは、前記開位置から前記閉位置に前記弁体部が移動するとき、前記弁孔の中心軸線を中心とする円の径方向での前記弁体部の動きを案内するためのガイド部を備えてもよい。この態様によれば、弁体部が閉位置に移動するとき、弁孔に対して径方向で弁体部を位置合わせできる。
【０１３４】
第５態様のカートリッジは、第１から第４態様のいずれかにおいて、前記弁体部は、前記原水供給路に形成される弁孔を閉じる閉位置と前記弁孔を開く開位置との間を進退可能であり、前記改質水供給路には、前記上流側水路から送られる原水を改質可能な改質部が設けられ、前記弁体部は、前記弁体部の進退方向において、前記外力受け部と前記改質部の間に配置されてもよい。この態様によれば、外力受け部に対して改質部とは進退方向の反対側に弁体部を配置する場合と比べ、カートリッジの進退方向での寸法の小型化を図れる。
【０１３５】
第６態様のカートリッジは、第１から第５態様のいずれかにおいて、前記上流側水路及び前記下流側水路のうちの一方の水路と前記改質水供給路を隔てる有底筒状のヘッド部を備え、前記ヘッド部の頂壁部は前記外力受け部を構成し、前記ヘッド部には、前記一方の水路と前記改質水供給路を連通させる通水孔が形成され、前記通水孔は、前記ヘッド部の外周壁部を貫通する第１孔部を有してもよい。この態様によれば、ヘッド部の頂壁部が外力受け部を構成し、その頂壁部に通水孔を形成し難い構造のもとでも、第１孔部を通して通水量を確保できる。
【０１３６】
第７態様のカートリッジは、第６態様において、前記一方の水路は、前記下流側水路であり、前記ヘッド部の内底面には、前記改質水供給路内を流れる水を前記第１孔部に誘導可能な誘導部が設けられてもよい。この態様によれば、改質水供給路から通水孔の第１孔部を通して下流側水路にスムーズに水を流せる。
【０１３７】
第８態様のカートリッジは、第１から第７態様のいずれかにおいて、前記弁体部は、前記原水供給路に形成される弁孔を閉じる閉位置と前記弁孔を開く開位置との間を進退可能であり、前記外力受け部の外力受け面は、前記弁体部の進退方向と実質的に直交するように設けられる平坦面であってもよい。この態様によれば、カートリッジの弁体部が進退方向に沿って真っ直ぐに動き易くなり、弁体部の動作の安定化を図れる。
【符号の説明】
【０１３８】
１６…浴室壁部、２４…内部水路、２６…一次側配管、２８…原水供給路、３０…改質水供給路、３２…二次側配管、３４…上流側水路、３４ａ…第１上流側水路部、３６…下流側水路、３６ａ…第１下流側水路部、３６ｂ…第２下流側水路部、３６ｃ…第３下流側水路部、５０…原水改質装置、５２…装置本体、５４…カートリッジ、６６…第１配管部材、６６…配管部材、６６ｃ…ガタ規制部、６８…第２配管部材、７２…第１配管接続部、１０２…弁孔、１０４…弁座、１０６…弁体部、１１０…水路切替機構、１３０…抜止部、１５０…改質部、１６２…ヘッド部、１６２ａ…外周壁部、１６２ｂ…頂壁部、１６４…通水孔、１６４ａ…第１孔部、１６６…外力受け部、１６６ａ…外力受け面、１６８…第１鍔部、１７６…シール面、１８０…ガイド部、１８４…誘導部、１９０…鍔対向部、１９２…補強部。
【図１】
2020033840.tif 000003
【図２】
2020033840.tif 000004
【図３】
2020033840.tif 000005
【図４】
2020033840.tif 000006
【図５】
2020033840.tif 000007
【図６】
2020033840.tif 000008
【図７】
2020033840.tif 000009
【図８】
2020033840.tif 000010
【図９】
2020033840.tif 000011
【図１０】
2020033840.tif 000012
【図１１】
2020033840.tif 000013
【図１２】
2020033840.tif 000014
【図１３】
2020033840.tif 000015
【図１４】
2020033840.tif 000016
【図１５】
2020033840.tif 000017
【図１６】
2020033840.tif 000018
【図１７】
2020033840.tif 000019
【図１８】
2020033840.tif 000020
【図１９】
2020033840.tif 000021
【図２０】
2020033840.tif 000022
【図２１】
2020033840.tif 000023
【図２２】
2020033840.tif 000024